(57)【要約】【課題】フィルターによりジュース分が分離されて遠心分離カゴから放出され、カス堆積部に堆積したカス分からさらに流出するジュース分を回収できるようにしたジューサを提供する。【解決手段】材料を切削するカッターおよび上方に開放する逆円錐状のフィルターを有して電動機に連結されて回転する遠心分離カゴと、この遠心分離カゴの回転によって遠心分離されたジュース分を収集してジュースカップに流出させるジュース流出経路と、前記遠心分離カゴから放出されたカス分を収容するカス堆積部とを有するジューサにおいて、前記カス堆積部の底部と前記ジュース流出経路とを連通するジュース細路を設けたことを特徴とするジューサである。【選択図】          図１
2004147840.tif 000002
【特許請求の範囲】
【請求項１】
材料を切削するカッターおよび上方に開放する逆円錐状のフィルターを有して電動機に連結されて回転する遠心分離カゴと、この遠心分離カゴの回転によって遠心分離されたジュース分を収集してジュースカップに流出させるジュース流出経路と、前記遠心分離カゴから放出されたカス分を収容するカス堆積部とを有するジューサにおいて、
前記カス堆積部の底部と前記ジュース流出経路とを連通するジュース細路を設けたことを特徴とするジューサ。
【請求項２】
材料を切削するカッターおよび上方に開放する逆円錐状のフィルターを有して電動機に連結されて回転する遠心分離カゴと、この遠心分離カゴの周囲に配置され前記フィルターを透過したジュース分を収集するジュース受部および前記遠心分離カゴの上端から飛散するカス分を収容するカス受部を有する容器と、この容器を覆い前記カッターに対応する材料投入口を有する蓋体と、前記ジュース受部に収集されたジュース分を外部のジュースカップに導くジュース流出路とを備えたジューサにおいて、
前記容器に前記カス受部の底部と前記ジュース流出路とを連通するジュース細路を設けたことを特徴とするジューサ。
【請求項３】
前記カス受部に隣接してジュース流出路を設け、前記カス受部の最も低い底部と前記ジュース流出路とを連通するジュース細路を設けたことを特徴とする請求項２記載のジューサ。
【請求項４】
材料を切削するカッターおよび上方に開放する逆円錐状のフィルターを有して電動機に連結されて回転する遠心分離カゴと、この遠心分離カゴの周囲に配置され前記フィルターを透過したジュース分を収集するジュース受部および前記遠心分離カゴの上端から飛散するカス分を収容するカス受部を有する容器と、この容器を覆い前記カッターに対応する材料投入口を有する蓋体と、前記ジュース受部に収集されたジュース分をジュースカップに導くジュース流出路とを備えたジューサにおいて、
前記遠心分離カゴの上方外周部に位置して前記ジュース受部の上端部に有するカス滞留部の底部と前記ジュース受部とを連通するジュース細路を設けたことを特徴とするジューサ。
【発明の詳細な説明】
【０００１】
【発明の属する技術分野】
この発明は、本体に内蔵された電動機により回転される遠心分離カゴにより切削した材料を、ジュース分とカス分とを分離するジューサに関するものである。
【０００２】
【従来の技術】
従来、内部に電動機を備えたジューサ本体の上部に配設されジュース流出口を有するジュース収集室と、このジュース収集室の上方に設けられたカス排出口とを有するケースを設け、このケースの前記ジュース収集室内に多数の貫通する小孔が形成された薄板により逆円錐状に形成したフィルターとこのフィルターの下部に設けたカッターとを有する遠心分離カゴを回転自在に配設し、この遠心分離カゴを前記電動機により回転させるとともに、前記ケースを覆う蓋体に形成した投入口から投入された野菜あるいは果物（以下果物等という）を、前記カッターによって切削するとともに前記フィルターによってジュース分を遠心分離してジュースを得るようにしたジューサは広く知られている。
【０００３】
このようなジューサには、例えば特開平１１−１９７００５号に記載のものがある。
【０００４】
このような構成においては、遠心分離カゴの回転によってフィルターでジュース分が分離されたカス分は、遠心分離カゴの上端から遠心力により飛散してその周囲の容器内に堆積したり、その後大きな堆積部であるカス受部に収容される。しかし、フィルターは非常に高速で回転するため、果物等の切削物からジュース分が十分分離されずにカス分として放出され、この放出されたカス分にはまだ多くのジュース分が残されている場合が多い。
【０００５】
【特許文献１】
特開平１１−１９７００５号公報（図１）
【０００６】
【発明が解決しようとする課題】
果物等の切削物からジュース分をできるだけ多く分離し、ジュース分の回収効率を向上させることはジューサにとって重要である。
【０００７】
この発明の目的は、遠心分離カゴを収容する容器の構造を工夫することにより、切削された材料からジュース分を少しでも多く分離できるようにしたジューサを提供することにある。
【０００８】
【課題を解決するための手段】
この目的を達成するため、この発明の請求項１は、材料を切削するカッターおよび上方に開放する逆円錐状のフィルターを有して電動機に連結されて回転する遠心分離カゴと、この遠心分離カゴの回転によって遠心分離されたジュース分をジュースカップに流出させるジュース流出経路と、前記遠心分離カゴから放出されたカス分を収容するカス堆積部とを有するジューサにおいて、前記カス堆積部の底部と前記ジュース流出経路とを連通するジュース細路を設けたことを特徴としている。
【０００９】
【発明の実施の形態】
以下、この発明の実施の形態を図１および図２を使用して説明する。図１は、この発明を実施した形態のジューサを示すものである。
【００１０】
図１において、２０は全体の外形がほぼ長方体をした形状のジューサを示し、このジューサ２０は、本体３０と、この本体３０の上に着脱自在に載置され上方から見ると全体がほぼ長方形をした容器４０と、果物等の材料をジュース分とかす分とに分離する遠心分離カゴ５０と、この遠心分離カゴ５０の上方を覆って容器４０に着脱自在で、この容器４０とほぼ同様に上方から見るとほぼ長方形をした蓋体６１とから構成されている。
【００１１】
本体３０は、側部にジュースカップ３１の載置台３２を形成することにより、上方から見ると全体がほぼ長方形をしているとともに、電動機３３を内蔵している。その電動機３３の駆動軸３４は上方に延びており、その上端が本体３０の上面から突出し、その上端には回転部材３５が設けられている。この回転部材３５は駆動軸３４とともに回転するものである。
【００１２】
容器４０は、遠心分離カゴ５０の周囲を取り囲む円筒状をしたジュース受部４１を有し、このジュース受部４１の外側の一部に隣接して四角形状のカス受部４２を形成した構成となって合成樹脂で一体的に成形されている。このジュース受部４１の下方に設けた開口部からカス受部４２内に突出するようにジュース流出路４３が設けられ、このジュース流出路４３により遠心分離カゴ５０で分離されたジュース分を、本体３０の載置台３２に置かれたジュースカップ３１に流出するように形成されている。このジュース流出路４３には、内部を容易に洗浄可能なように着脱可能な蓋４４を備えている。分離されたジュース分をジュースカップ３１に流出させるジュース受部４１の下方部とジュース流出路４３とによりジュース流出経路４５を形成している。
【００１３】
カス受部４２は大部分のカスの堆積部であるが、容器４０と別部材で容器４０に着脱自在に取付ければ、カスを廃棄する際には大部分のカス堆積部、すなわちカス受部４２のみを容器４０から取出してその作業を行なうことができる。
【００１４】
遠心分離カゴ５０は、本体３０の前記回転部材３５に着脱自在に取り付けられるほぼ円盤状のカップリング５１と、このカップリング５１に取り付けられた上部に開口を有する逆円錐状のフィルター５３とを備えている。このフィルター５３にはそのほぼ全周面にわたって多数の円形または水平方向に長細い長円形の小孔が設けられている。
【００１５】
このフィルター５３の上部周縁および下部周縁には、フィルター５３の変形を防止するためにリング状に作られた合成樹脂製のフィルター補強部材５５が取り付けられている。これらのフィルター５３の上部周縁および下部周縁は、それぞれのフィルター補強部材５５を熱成型する際に埋設され一体的になっている。下方のフィルター補強部材５５の段部には、果物等の材料を切削しすりおろすために、上方に向け多数の鋭利な刃が設けられた円板状からなるステンレス製のカッター５６が嵌合されている。
【００１６】
遠心分離カゴ５０は、フィルター５３とその下方のフィルター補強部材５５の段部に嵌合したカッター５６とを、数個所に設けたカシメ手段５７によりカップリング５１に固定することで全体的に一体化され、カップリング５１が契合している回転部材３５の回転にしたがって回転する。
【００１７】
図１に示すように、遠心分離カゴ５０に有するフィルター５３の上方外周部に位置し、ジュース受部４１の上端外壁部５８と蓋体６１の内周壁５９との間にはカス滞留部６０が形成されている。ジュース受部４１の上端外壁部５８は、上方のフィルター補強部材５５の下方に位置するように円筒状になっており、その先端には補強リング６２が固定されている。一方、蓋体６１の内周壁５９は、ジュース受部４１の上端外壁部５８および補強リング６２との間に一定の間隔を設けて円弧状に存在しているが、カス受部４２側は開口端Ｂまでの位置で内周壁５９は開放されている。これにより、上端外壁部５８および補強リング６２と蓋体６１の内周壁５９との間には、カス滞留部６０がカス受部４２側を除き環状に形成されている。また、カス滞留部６０の近傍では、容器４０の一部を構成するジュース受部４１と蓋体６１とが着脱自在に契合している。このカス滞留部６０は一部のカスが堆積するカス堆積部となる。
【００１８】
カス堆積部でもあるカス滞留部６０の底部は内方に向かって傾斜しており、その底部の最も低い部分からジュース受部４１に向かってジュース分が流入可能とするジュース細路５７が設けられている。このジュース細路５７の太さは、カス分が通過するほどのものではなく、ジュース分だけが流込む程度の内径の小孔またはスリットであり、ジュース受部４１側が低い位置となって傾斜状態で貫通している。このジュース細路５７は、前述したジュース流出経路４５につながっており、カス滞留部６０に一定間隔で複数個設けることができる。
【００１９】
またカス堆積部であるカス受部４２の底部は、ジュース流出路４３に向かって低く傾斜しており、その最下部にはジュース分がカス受部４２からジュース流出路４３の内部に流入可能なようにジュース細路６３が設けられている。このジュース細路６３は、カス受部４２に収容されたカスが流込まない程度の直径の小孔かスリットとなっている。ジュース細路６３は、ジュース流出路４３に複数個設けることもできる。
【００２０】
容器４０に着脱自在に載置されている蓋体６１は、、カッター５６に対向して下方に開口する材料投入筒６５が一体に形成されている。６６は操作部６７を有する押し棒で、上方に抜き出した状態で果物等を材料投入筒６５から挿入し、この材料をカッター５６に押し付けるものである。
【００２１】
次に、このような構成のジューサ２０の作用を説明する。
【００２２】
このジューサ２０を使用するには、図１に示すように、蓋体６１の材料投入筒６５内から押し棒６６を引き抜いておき、本体３０に設けられた図示しないメインスイッチを押すと、本体３０内の電動機３３が回転して遠心分離カゴ５０が高速回転する。
【００２３】
そして、材料投入筒６５内に果物等の材料を投入して押し棒６６で材料をカッター５６に押し付ける。これにより、これらの材料はカッター５６で切削されてすり下ろされ、このおろし状材料はフィルター５３の下方にあるフィルター補強材料５５を起点としてフィルター５３の内周面にそって上昇し、この上昇していく間にジュース分がフィルター５３の小孔を通過して容器４０のジュース受部４１に流れ込む。このジュース分はジュース受部４１の下方部およびジュース流出路４３とからなるジュース流出経路４５を通って本体３０の載置台３２に置かれたジュースカップ３１に注がれる。
【００２４】
また、おろし状材料のカス分は、遠心分離カゴ５０の回転によってフィルター５３の内周面上を遠心力により昇ってフィルター５３の上部に達し、フィルター５３の上方のフィルター補強部材５５の上部から飛散して容器４０のカス堆積部であるカス受部４２内に蓄積される。
【００２５】
フィルター５３から飛散したカス分が、カス受部４２内に収容されるまでの状態を詳細に説明する。フィルター５３から飛散したカス分は、最初に蓋体６１の環状の内周壁５９に衝突してから風圧によりカス受部４２方向に放出され、ほとんどがカス受部４２に収容される。しかし、その一部は、カス堆積部でもあるカス滞留部６０に入ったままの状態で堆積してしまうものもある。この場合、カス分にはまだジュース分を含まれているため、時間が経過するにつれカス滞留部６０の底部に溜まることになる。しかしそこには少なくとも一個のジュース細路５７が設けられているため、そのジュース分はジュース受部４１を経てジュース流出経路４５を経由しジュースカップ３１に流れ込むことになる。
【００２６】
一方、大部分のカス堆積部であるカス受部４２に収容されたカス分は、時間を経過するにつれそれに含まれていたジュース分がその重力等により底部に溜まってくる。この溜まったジュース分はジュース細路６３からジュース流出路４３すなわちジュース流出経路４５に流れ込み、最終的にジュースカップ３１に貯められることになる。
【００２７】
【発明の効果】
以上説明してきたように、本発明は、ジューサ分を搾ったカス分が収容されまたは滞留したカス堆積部から溜まったジュース分をさらに取り出すことにより、ジュース分の回収率を向上することができる。
【００２８】
【図面の簡単な説明】
【図１】本発明の１実施例を示すジューサの全体説明図である。
【図２】同上発明に使用される遠心分離カゴの断面図である。
【符号の説明】
２０…ジューサ
３０…本体
３３…電動機
４０…容器
４１…ジュース受部
４２…カス受部（カス堆積部）
４５…ジュース流出経路
５０…遠心分離カゴ
５３…フィルター
５７、６３…ジュース細路
６０…カス滞留部（カス堆積部）
【図１】
2004147840.tif 000003
【図２】
2004147840.tif 000004